(57)【特許請求の範囲】
【請求項１】
天井部に設置される浴室暖房乾燥機本体と、
前記浴室暖房乾燥機本体の下面を覆うようにして天井の下面に配置されるカバーとからなる浴室暖房乾燥機であって、
前記浴室暖房乾燥機本体は、空気を加熱するための加熱器と、加熱器で加熱された空気を吹き出すための送風機と、前記送風機からカバーの吹き出し口へ温風を導くための送風路で構成され、
前記送風路が前記浴室暖房乾燥機本体のケーシングに対して静止した送風路本体と、該送風路本体に対してスライド自在に配設された送風路摺動部とから構成され、前記送風路本体又は前記送風路摺動部のうちいずれか一方にガイド軸を取付けて固定し、前記送風路本体又は前記送風路摺動部のうちいずれか他方を前記ガイド軸にスライド自在に取付け、ガイド軸に取り付けた弾性体によって前記送風路摺動部を前記カバーに向けて突出付勢した浴室暖房乾燥機において、
前記ガイド軸もしくはガイド軸が取り付けられている部材に、前記送風路摺動部を取り外したときに弾性体の脱落を防止するための係止手段を設けたことを特徴とする浴室暖房乾燥機。
【請求項２】
前記ガイド軸及び前記ガイド軸が取り付けられている部材に、前記送風路摺動部の取り付け時に前記ガイド軸の回転を防止するための回転防止手段を設けたことを特徴とする、請求項１に記載の浴室暖房乾燥機。
【発明の詳細な説明】
【０００１】
【発明の属する技術分野】
本発明は、浴室暖房乾燥機に関し、具体的には、浴室内を暖房し、また浴室内に吊り下げられた洗濯物等を乾燥させるための天井取付型の浴室暖房乾燥機に関する。
【０００２】
【従来の技術】
温風を吹き出すことによって浴室内を暖房したり、浴室内に吊り下げられた洗濯物等を乾燥させるための浴室暖房乾燥機が従来より使用されている。このような浴室暖房乾燥機には、壁掛け型のものと天井取付型のものとがある。
【０００３】
このうち天井取付型の浴室暖房乾燥機は、浴室暖房乾燥機本体を浴室の天井裏に設置し、浴室暖房乾燥機本体の下面を覆うようにして天井の下面にフロントカバー（化粧カバー）を配置されるものであって、浴室暖房乾燥機本体を天井裏に隠すことができるので、浴室内をすっきりとさせることができる。
【０００４】
このような天井取付型の浴室暖房乾燥機を施工する方法には、浴室ユニットの天井パネルを施工するよりも前に浴室暖房乾燥機本体を天井部分に設置しておく本体先付け方式と、天井パネルの施工後に浴室暖房乾燥機本体を天井部分に設置する本体後付け方式とがある。図１は本体先付け方式で施工された浴室暖房乾燥機１の設置状態を示す概略側面図である。この方式では、天井パネル２の施工前に浴室暖房乾燥機本体３を天井裏空間４に持ち上げ、天井裏空間４の吊りボルト５によって浴室暖房乾燥機本体３を吊り下げておく。この後、浴室の天井に天井パネル２を施工し、浴室暖房乾燥機本体３の下面に合わせて天井パネル２を開口すると共に天井パネル２の下面にフロントカバー６を取り付けて天井パネル２の開口７を覆っている。
【０００５】
また、図２は、このようにして本体先付け方式で施工された浴室暖房乾燥機１の断面を表している。符号８で示すものは、内部を循環する温水と空気とを熱交換させることにより、通過する空気を加熱するための熱交換器である。この浴室暖房乾燥機１にあっては、ファン９をモータ駆動すると、ファン９によってフロントカバー６の吸い込み口１０から吸い込まれた浴室内の空気は、熱交換器８を通過することによって加熱され、ファンケーシングを兼ねた送風路１１に導かれてフロントカバー６の吹き出し口１２から温風として吐出される。また、先付け方式の場合には、天井パネル２の開口７の縁と浴室暖房乾燥機本体３との間の隙間による風損を防止するため、浴室暖房乾燥機本体３の下面外周に設けられたフランジ１３を天井パネル２の上面に当てている。
【０００６】
図３は本体後付け方式で施工された浴室暖房乾燥機１の設置状態を示す概略側面図である。この方式では、浴室の天井パネル２を開口して該開口７から天井裏空間４へ浴室暖房乾燥機本体３を持ち上げ、吊りボルト５によって浴室暖房乾燥機本体３を吊り下げた後、天井パネル２の下面にフロントカバー６を取り付けて天井パネル２の開口７を覆っている。
【０００７】
また、図４は本体後付け方式で施工された浴室暖房乾燥機１の断面を表している。この施工方式でも温風を吹き出す構造は同じであるが、後付け方式の場合には、天井パネル２の開口７の縁と浴室暖房乾燥機本体３との間の隙間による風損を防止するため、浴室暖房乾燥機本体３の下面外周に設けられたフランジ１３を天井パネル２の下面に当てている。
【０００８】
【発明が解決しようとする課題】
しかしながら、上記のような浴室暖房乾燥機１にあっては、図３及び図４のように後付け方式で施工された場合には、送風路１１の先端がフロントカバー６に当接してフロントカバー６の吸い込み口１０と吹き出し口１２を分離できるように構成されていたとしても、図１及び図２に示すように先付け方式で施工された場合には、後付け方式で施工される場合と比較して浴室暖房乾燥機本体３の設置位置が高くなるので、送風路１１の先端とフロントカバー６との間に隙間が生じる。このためフロントカバー６の吸い込み口１０と送風路１１の先端とが連通してしまい、送風路１１から吹き出した温風が直ちに熱交換器８側へ吸い込まれたり、吸い込み口１０から吸い込まれた浴室内の空気が直ちに吹き出し口１２から吹き出されたりして送風経路の短絡が起き易く、温風吹き出し風量が減少する問題があった。
【０００９】
また、送風路１１の長さを本体後付け施工の場合を基準としていると、本体先付け施工した場合、天井パネル２の厚みの違いによって送風路１１の先端とフロントカバー６との隙間が変化し、騒音や送風量、温風吐出能力などの浴室暖房乾燥機１の性能がばらつくという問題があった。
【００１０】
本発明は、上記の従来例の問題点に鑑みてなされたものであり、その目的とするところは、浴室暖房乾燥機本体の施工方法や天井パネルの厚み等によって送風路とカバーとの間に隙間が生じないようにできる浴室暖房乾燥機を提供することにある。
【００１１】
【課題を解決するための手段】
請求項１に記載の浴室暖房乾燥機は、天井部に設置される浴室暖房乾燥機本体と、前記浴室暖房乾燥機本体の下面を覆うようにして天井の下面に配置されるカバーとからなる浴室暖房乾燥機であって、前記浴室暖房乾燥機本体は、空気を加熱するための加熱器と、加熱器で加熱された空気を吹き出すための送風機と、前記送風機からカバーの吹き出し口へ温風を導くための送風路で構成され、前記送風路が前記浴室暖房乾燥機本体のケーシングに対して静止した送風路本体と、該送風路本体に対してスライド自在に配設された送風路摺動部とから構成され、前記送風路本体又は前記送風路摺動部のうちいずれか一方にガイド軸を取付けて固定し、前記送風路本体又は前記送風路摺動部のうちいずれか他方を前記ガイド軸にスライド自在に取付け、ガイド軸に取り付けた弾性体によって前記送風路摺動部を前記カバーに向けて突出付勢した浴室暖房乾燥機において、前記ガイド軸もしくはガイド軸が取り付けられている部材に、前記送風路摺動部を取り外したときに弾性体の脱落を防止するための係止手段を設けたものである。
【００１２】
また、請求項２に記載の浴室暖房乾燥機は、前記ガイド軸及び前記ガイド軸が取り付けられている部材に、前記送風路摺動部の取り付け時に前記ガイド軸の回転を防止するための回転防止手段を設けたものである。
【００１３】
【作用】
請求項１に記載した浴室暖房乾燥機にあっては、送風路本体に対して送風路摺動部をスライド自在に設け、弾性体によって送風路摺動部を突出付勢しているので、本体先付け方式で施工した場合と本体後付け方式で施工した場合、あるいは天井パネルの板厚が異なる場合でも、送風路と吹き出し口の間に隙間が生じないように施工できる。よって、送風路と吹き出し口との間の隙間から温風が漏れ、吸い込み側へ流れて送風経路の短絡を起こすのを防止でき、温風吹き出し風量の低下を防止することができる。
【００１４】
さらに、送風路本体と送風路摺動部とのうちいずれか一方にガイド軸を固定し、他方をガイド軸にスライド自在に取付けているので、送風路摺動部はガイド軸によってスライド動作時にガイドされ、滑らかにスライドすることができる。しかも、このガイド軸の固定側は、送風路本体又は送風路摺動部のうちいずれか一方に一体成形することもできるが、この発明では、送風路本体と送風路摺動部とのうちいずれか一方にガイド軸を取付けて固定しているので、ガイド軸を送風路本体もしくは送風路摺動部と一体成形する場合と比較してガイド軸の強度を高くすることができ、ガイド軸等の破損を防止することができる。また、ガイド軸が破損した場合には、ガイド軸を容易に交換することができる。ここで、ガイド軸を取付けて固定する手段としては、ネジ、ビス、圧入、嵌合など、特に限定されるものではない。また、ガイド軸もしくはガイド軸を取り付けている部材に、弾性体を係止させるための係止手段を設けているので、メンテナンス時に送風路摺動部を送風路本体から外しても弾性体がガイド軸から脱落する恐れがない。また、送風路摺動部を送風路本体に取り付ける際にもガイド軸に取り付けた弾性体をガイド軸もしくはガイド軸を取り付けている部材に係止して保持させておくことができるので、高所における送風路摺動部の取り付け作業も容易に行うことができる。
【００１５】
また、請求項２に記載した浴室暖房乾燥機にあっては、ガイド軸及びガイド軸に取り付けている部材に、ガイド軸の回転を防止するための回転防止手段を設けているので、送風路本体から送風路摺動部の取付け及び取り外し時にガイド軸がネジと共回りしてしまって取付け及び取り外しを行いにくくなる恐れがない。
【００１６】
【発明の実施の形態】
（第１の実施形態）
図５は本発明の一実施形態による浴室暖房乾燥機２１の断面図、図６は浴室暖房乾燥機２１の下面図である。この浴室暖房乾燥機２１は、主として浴室暖房乾燥機本体２２及びフロントカバー２３によって構成されており、浴室暖房乾燥機本体２２にあっては、下面開口したケーシング２４の内部にファン収納部２５と換気装置収納部２６とが一体に成形され、ケーシング２４の下端部外周にフランジ２７が周設されている。ファン収納部２５の下部には送風路本体２８が取り付けられており、送風路本体２８の外周には送風路摺動部２９がスライド自在に接続され、固定された送風路本体２８とスライド可能な送風路摺動部２９とによって伸縮自在な送風路３０が構成されている。
【００１７】
ファン収納部２５内には、クロスフローファンのような送風機３１が設置されており、ファン収納部２５の吸引側には２台の熱交換器３２が設けられている。空気を加熱するための手段としては電気ヒーターなどでもよいが、この実施形態では、給湯機から供給される温水を循環させ、温水と浴室から吸引した空気とを熱交換させて空気を加熱する熱交換器３２を用いている。
【００１８】
また、換気装置収納部２６内にはシロッコファン３３とモータ３４によって構成された換気装置３５が納められており、換気装置３５の吹き出し方向では、ケーシング２４に排気口３６が開口されている。
【００１９】
図７は上記送風路３０の構造を示す分解斜視図、図８はその一部分を拡大して示す破断断面図である。送風路本体２８及び送風路摺動部２９は、いずれも横に長い矩形状の開口を有しており、送風路本体２８が送風路摺動部２９内に挿入され、送風路摺動部２９が送風路本体２８に対して上下にスライド自在となっている。送風路摺動部２９には風向調整用のルーバー板３７が設けられている。ルーバー板３７は、軸３８によって送風路摺動部２９内の中央部で軸支されており、図８に示すように送風路本体２８の外部に固定されたパルスステップモータ等を用いたルーバーモータ３９が軸３８に連結されており、ルーバーモータ３９を駆動することによってルーバー板３７の傾き（角度）を変更できるようにしている。
【００２０】
図９は送風路摺動部２９を下方へ弾性的に突出させるための、送風路本体２８と送風路摺動部２９との連結部分の構造を示す一部破断した拡大断面図である。図９に示すように、送風路本体２８の両端面から水平に支持片４０が延出されており、送風路摺動部２９の両端面にはガイドプレート４２が設けられている。図１０に示すように、支持片４０には袋状のガイド軸取付け部４３が設けられており、支持片４０の下面においてガイド軸取付け部４３の袋状穴４４の縁には、回り止めブロック４５が設けられている。一方、ガイド軸４１の上端には、ガイド軸取付け部４３の袋状穴４４に挿入するための挿入部４８が設けられており、挿入部４８の下には鍔部４９が設けられている。鍔部４９には、回り止めブロック４５と嵌合する切り欠き５０が設けられている。しかして、ガイド軸４１の挿入部４８を支持片４０の袋状穴４４に挿入し、ガイド軸取付け部４３の通孔４６から挿入部４８内にネジ４７を打ち込んでガイド軸４１を支持片４０に固定している。ガイド軸４１は、切り欠き５０を回り止めブロック４５に嵌合されているので、ネジ４７を締める時に共回りすることがなく、強くネジ４７を締めることができる。しかも、ガイド軸４１は、ガイド軸取付け部４３の袋状穴４４内に挿入部４８を挿入されて強固に保持される。よって、ガイド軸４１を支持片４０に強固に取り付けることができ、ガイド軸４１が支持片４０から外れたり、ぐらついたりすることを防止できる。
【００２１】
ガイド軸４１の外周面には、鍔部４９の近傍において、係止爪５１が設けられており、ガイド軸４１に通した圧縮バネ５４の上部を係止爪５１に引っかけているので、メンテナンス時に送風路摺動部２９を送風路本体２８から外すとき、圧縮バネ５４がガイド軸４１から脱落して紛失する恐れがなく、また送風路摺動部２９を送風路本体２８に取り付けるとき、ガイド軸４１から脱落しないように保持している必要がなく、メンテナンス作業を行い易くなっている。
【００２２】
ガイド軸４１は、ガイドプレート４２にあけられた貫通孔５５に摺動自在に挿通されており、ガイド軸４１の先端に設けられた段部５２にワッシャ５６をはめ、ガイド軸４１の先端に設けられた雌ネジ孔５３にネジ５７を締め付けてガイド軸４１の先端に、貫通孔５５からの抜け止め用のワッシャ５６を固定している。この結果、圧縮バネ５４は支持片４０とガイドプレート４２との間に圧縮した状態で介在させられ、送風路摺動部２９は圧縮バネ５４の弾性によって下方へ突出付勢されると共に、送風路摺動部２９は上方へ力を加えられると圧縮バネ５４を押し縮めて上方へ移動し、フロントカバー２３の位置に応じて送風路摺動部２９の位置が自然に調整される。
【００２３】
また、図７に示すように、送風路摺動部２９の下端面外周に設けたフランジ５８の端には、ワイヤレスタイプのリモートコントローラ（図示せず）によって浴室暖房乾燥機２１のオン、オフや送風量、送風温度、送風方向（ルーバー板３７の角度）などを遠隔操作するためのリモコン受信器５９を取り付けている。
【００２４】
一方、フロントカバー２３には、浴室暖房乾燥機本体２２の送風路３０下端面と対向させて吹き出し口６０が設けられ、リモコン受信器５９と対向させてリモコン受信器露出窓６４が設けられている。この吹き出し口６０は、送風路３０の下面開口とほぼ一致するように形成されている。さらに、吹き出し口６０と隣接して一方には空気を吸い込むための吸い込み口６１が、他方には換気用吸気口６２が設けられている。吸い込み口６１はグリル状に形成されており、その上面には着脱自在にフィルタ６３を取り付けられるようになっている。
【００２５】
しかして、浴室暖房乾燥機２１を浴室の天井に本体先付け方式で施工した場合にも、本体後付け施工した場合にも、送風路摺動部２９は圧縮バネ５４の弾性によって吹き出し口６０の縁に圧接させられるので、送風路摺動部２９と吹き出し口６０との間に隙間が生じることがなく、温風が漏れて直ちに吸い込み側へ流れる温風経路の短絡を防止し、風損を小さくすることができる。
【００２６】
また、天井パネルの厚みが異なる場合でも、圧縮バネ５４で送風路摺動部２９がフロントカバー２３に押しつけられることによって送風路摺動部２９が自動的に位置調整されるので、施工をより容易に行えると共に送風路摺動部２９とフロントカバー２３との間に隙間が生じることもない。
【００２７】
よって、本発明の浴室暖房乾燥機２１によれば、送風路３０が伸縮できるようになっていて、上記のように施工方法や天井パネルの厚みにかかわらず送風路３０とフロントカバー２３の吹き出し口６０の縁との間に隙間が生じないので、施工精度を均一にすることができ、騒音や温風吹き出し量、暖房能力などの性能のばらつきを小さくすることができる。
【００２８】
しかも、上記のようにガイド軸４１を支持片４０の袋状穴４４に挿入してネジ止めすることにより、ガイド軸４１を強固に取り付けることができ、ガイド軸４１がぐらついたり、折れたりすることがなく、送風路３０を伸縮させるための機構の耐久性を向上させることができる。しかも、万一ガイド軸４１が破損した場合には、簡単にガイド軸４１を交換することができる。
【００２９】
また、送風路摺動部２９を送風路本体２８から外した状態でも、圧縮バネ５４は係止爪５１によってガイド軸４１に保持されるので、圧縮バネ５４が脱落して紛失する恐れがなく、また圧縮バネ５４をガイド軸４１に保持させながら送風路摺動部２９を取り付けることができ、高所における作業を容易にすることができる。
【００３０】
【発明の効果】
請求項１に記載した浴室暖房乾燥機によれば、本体先付け方式で施工した場合と本体後付け方式で施工した場合、あるいは天井パネルの板厚が異なる場合でも、送風路と吹き出し口の間に隙間が生じないように施工できる。よって、送風路と吹き出し口との間の隙間から温風が漏れ、吸い込み側へ流れて送風経路の短絡を起こすのを防止でき、温風吹き出し風量の低下を防止することができる。
【００３１】
さらに、送風路本体と送風路摺動部とのうちいずれか一方にガイド軸を固定し、他方をガイド軸にスライド自在に取付けているので、送風路摺動部はガイド軸によってスライド動作時にガイドされ、滑らかにスライドすることができる。しかも、このガイド軸の固定側は、送風路本体又は送風路摺動部のうちいずれか一方に一体成形することもできるが、この発明では、送風路本体と送風路摺動部とのうちいずれか一方にネジによってガイド軸を固定しているので、ガイド軸を送風路本体もしくは送風路摺動部と一体成形する場合と比較してガイド軸の強度を高くすることができ、ガイド軸等の破損を防止することができる。また、ガイド軸が破損した場合には、ガイド軸を容易に交換することができる。また、ガイド軸もしくはガイド軸を取り付けている部材に、弾性体を係止させるための係止手段を設けているので、メンテナンス時に送風路摺動部を送風路本体から外しても弾性体がガイド軸から脱落する恐れがない。また、送風路摺動部を送風路本体に取り付ける際にもガイド軸に取り付けた弾性体をガイド軸もしくはガイド軸を取り付けている部材に係止して保持させておくことができるので、高所における送風路摺動部の取り付け作業も容易に行うことができる。
【００３２】
また、請求項２に記載した浴室暖房乾燥機にあっては、ガイド軸及びガイド軸に取り付けている部材に、ガイド軸の回転を防止するための回転防止手段を設けているので、送風路本体から送風路摺動部の取付け及び取り外し時にガイド軸がネジと共回りしてしまって取付け及び取り外しを行いにくくなる恐れがない。
【図面の簡単な説明】
【図１】浴室の天井に本体先付け方式で施工された従来の浴室暖房乾燥機本体のようすを示す側面図である。
【図２】同上の浴室暖房乾燥機本体の断面図である。
【図３】浴室の天井に本体後付け方式で施工された従来の浴室暖房乾燥機本体のようすを示す側面図である。
【図４】同上の浴室暖房乾燥機本体の断面図である。
【図５】本発明の一実施形態による浴室暖房乾燥機の断面図である。
【図６】同上の浴室暖房乾燥機の下面図である。
【図７】同上の浴室暖房乾燥機における送風路の構造を示す分解斜視図である。
【図８】同上の送風路の一部分を示す拡大断面図である。
【図９】同上の送風路において、送風路本体と送風路摺動部とを連結する構造を示す図である。
【図１０】同上のガイド軸と支持片の構造を示す斜視図である。
【符号の説明】
２２      浴室暖房乾燥機本体
２３      フロントカバー
２８      送風路本体
２９      送風路摺動部
３０      送風路
３１      送風機
４０      支持片
４１      ガイド軸
４２      ガイドプレート
４３      ガイド軸取付け部
４４      袋状穴
６０      吹き出し口
４９      鍔部
５１      係止爪
５４      圧縮バネ
【図１】
0003674459.tif 000002
【図２】
0003674459.tif 000003
【図３】
0003674459.tif 000004
【図４】
0003674459.tif 000005
【図５】
0003674459.tif 000006
【図６】
0003674459.tif 000007
【図７】
0003674459.tif 000008
【図８】
0003674459.tif 000009
【図９】
0003674459.tif 000010
【図１０】
0003674459.tif 000011